(57)【特許請求の範囲】
【請求項１】
発光する照明装置に給電するデバイスであって、前記照明装置は、電流伝導状態又は電流阻止状態にあるように構成され、前記デバイスは更に、
前記照明装置に結合され、コンデンサと、前記コンデンサと並列に置かれる抵抗器とを含む蓄電回路と、
前記照明装置が、前記電流伝導状態にあるか、又は、前記電流阻止状態にあるかを決定する第１の決定回路と、
前記照明装置の前記電流阻止状態において、前記蓄電回路の放電曲線の点を決定する第２の決定回路と、
前記放電曲線から、前記蓄電回路の状態を導出する導出回路と、
を含み、
前記デバイスは更に、
前記コンデンサと並列の要素を切り替えるスイッチ回路を含み、
前記蓄電回路の前記放電曲線の前記点は、前記要素から切断され、前記要素なしで前記抵抗器を介して放電する前記コンデンサについて決定される前記蓄電回路の第１の放電曲線の第１の点を含み、
前記蓄電回路の前記放電曲線の前記点は、前記要素に接続され、前記抵抗器及び前記要素の両方を介して放電する前記コンデンサについて決定される前記蓄電回路の第２の放電曲線の第２の点を含む、デバイス。
【請求項２】
前記第１の点及び前記第２の点は、それぞれ、前記照明装置の少なくとも１つの電流伝導状態によって隔てられる前記照明装置のそれぞれの電流阻止状態において決定される、請求項１に記載のデバイス。
【請求項３】
前記第１の点及び前記第２の点は、それぞれ、前記照明装置の同一の電流阻止状態において決定される、請求項１に記載のデバイス。
【請求項４】
前記要素は、抵抗器、コンデンサ又はインダクタを含む、請求項１に記載のデバイス。
【請求項５】
前記蓄電回路の状態は、前記コンデンサの状態を含み、
前記導出回路は、前記第１の放電曲線及び前記第２の放電曲線に応じて、前記コンデンサの容量値を計算する、請求項１に記載のデバイス。
【請求項６】
前記蓄電回路の状態は、前記抵抗器の状態、又は、前記コンデンサ及び前記抵抗器の状態を含み、
前記導出回路は、
前記第１の放電曲線及び前記第２の放電曲線に応じて、前記抵抗器の抵抗値を計算するか、又は、
前記第１の放電曲線及び前記第２の放電曲線に応じて、前記コンデンサの容量値及び前記抵抗器の抵抗値を計算する、請求項１に記載のデバイス。
【請求項７】
前記蓄電回路の状態は、前記蓄電回路が、良い状態にあるか又は悪い状態にあるかを分類する、請求項１に記載のデバイス。
【請求項８】
前記蓄電回路の状態に依存して、人に前記蓄電回路の状態を示す指示信号を生成する指示回路を更に含む、請求項１に記載のデバイス。
【請求項９】
前記照明装置は、前記電流伝導状態では、閾値以上の振幅値を有する入力信号を受信し、前記振幅値は、前記照明装置の前記電流阻止状態では、前記閾値よりも小さい、請求項１に記載のデバイス。
【請求項１０】
前記入力信号は、電圧信号を含み、前記閾値は、閾値電圧値を含む、請求項９に記載のデバイス。
【請求項１１】
前記第２の決定回路は、時間に応じた電圧振幅値の形の前記蓄電回路の前記放電曲線の前記点を決定する、請求項１０に記載のデバイス。
【請求項１２】
前記照明装置は、発光ダイオード回路を含む、請求項１に記載のデバイス。
【請求項１３】
発光する照明装置を含む発光する装置であって、
前記照明装置は、電流伝導状態又は電流阻止状態にあるように構成され、前記発光する装置は更に、請求項１乃至１２の何れか一項に記載のデバイスを含む、装置。
【請求項１４】
発光する照明装置に給電するデバイスを操作する方法であって、
前記照明装置は、電流伝導状態又は電流阻止状態にあるように構成され、前記デバイスは更に、前記照明装置に結合される蓄電回路を含み、前記蓄電回路は、コンデンサと、前記コンデンサと並列に置かれる抵抗器とを含み、前記方法は、
前記照明装置が、前記電流伝導状態にあるか又は前記電流阻止状態にあるかを決定するステップと、
前記照明装置の前記電流阻止状態において、前記蓄電回路の放電曲線の点を決定するステップと、
前記放電曲線から、前記蓄電回路の状態を導出するステップと、
を含み、
前記放電曲線の点を決定するステップは、
前記コンデンサが要素から切断され、前記要素なしで前記抵抗器を介して放電する場合に、前記蓄電回路の第１の放電曲線の第１の点を決定するステップと、
前記コンデンサが前記要素に接続され、前記抵抗器及び前記要素の両方を介して放電する場合に、前記蓄電回路の第２の放電曲線の第２の点を決定するステップと、
を含む、方法。
【発明の詳細な説明】
【技術分野】
【０００１】
本発明は、発光する照明装置に給電するデバイスに関する。照明装置は、電流伝導状態又は電流阻止状態にあるように構成される。本発明は更に、デバイスを操作する方法に関する。
【背景技術】
【０００２】
上記デバイスの例は、ランプドライバである。上記照明装置の例は、発光ダイオード回路である。
【０００３】
米国特許出願公開第２００８／００３０１４３Ａ１号に、平滑コンデンサの寿命末期を通知する回路を有する放電ランプ照明デバイスが開示されている。平滑コンデンサは、電源遮断セクションの出力部とインバータ主回路の入力部との間に置かれる。放電ランプは、インバータ主回路の出力部に接続される。
【０００４】
国際特許公開ＷＯ２０１３／１１００２７に、時間に応じた出力コンデンサの放電電流を使用して、出力コンデンサの劣化が決定されることが開示されている。
【０００５】
米国特許第５，８０４，９７３号に、放電コンデンサの１つの電圧曲線を使用して、コンデンサの劣化を検出することが開示されている。この従来技術の欠点は、基本的に、コンデンサの絶対容量を計算することなく、コンデンサが劣化したかどうかを定性的に決定するために、放電電圧を微分して、コンデンサの時定数を計算する点である。
【発明の概要】
【発明が解決しようとする課題】
【０００６】
本発明は、より正確で、定量的である改良型デバイス及び改良型装置を提供することを目的とする。本発明は更に、改良された方法を提供することを目的とする。
【課題を解決するための手段】
【０００７】
第１の態様によれば、発光する照明装置に給電するデバイスが提供される。照明装置は、電流伝導状態又は電流阻止状態にあるように構成される。上記デバイスは、
照明装置に結合され、コンデンサと、コンデンサと並列に置かれる抵抗器とを含む蓄電回路と、
照明装置が、電流伝導状態にあるか又は電流阻止状態にあるかを決定する第１の決定回路と、
照明装置の電流阻止状態において、蓄電回路の放電曲線の点を決定する第２の決定回路と、
放電曲線から、蓄電回路の状態を導出する導出回路とを含む。上記デバイスは更に、
コンデンサと並列の要素を切り替えるスイッチ回路を含み、
蓄電回路の放電曲線の点は、要素から切断され、要素なしで抵抗器を介して放電するコンデンサについて決定される蓄電回路の第１の放電曲線の第１の点を含み、
蓄電回路の放電曲線の点は、要素に接続され、抵抗器及び要素の両方を介して放電するコンデンサについて決定される蓄電回路の第２の放電曲線の第２の点を含む。
【０００８】
上記デバイスは、発光する照明装置に給電する。照明装置は、電流伝導状態及び電流阻止状態にあるように構成され、これらの状態は、交互にされる状態である。即ち、電流伝導状態の後に電流阻止状態が続き、この逆も同様である。電流伝導状態では、照明装置は、電流信号を伝導可能であり、発光可能である。電流阻止状態では、照明装置は、電流信号を阻止し、発光しない。上記デバイスは、照明装置に結合される蓄電回路を含む。蓄電回路は、例えば照明装置に提示される入力信号における変動を平滑にするために、エネルギーを蓄積するコンデンサを含む。上記デバイスは更に、照明装置が、電流伝導状態にあるか、又は、電流阻止状態にあるかを決定する第１の決定回路と、照明装置の電流阻止状態において、蓄電回路の放電曲線の点を決定する第２の決定回路とを含む。上記デバイスは更に、放電曲線から、蓄電回路の状態を導出する導出回路を含む。
【０００９】
上記デバイスの動作は次の通りである。照明装置の給電が開始すると、コンデンサが給電される。コンデンサは充電され、照明装置は給電されない。即ち、電流阻止状態にある。コンデンサが所定の程度まで充電されるとすぐに、照明装置は、電流伝導状態になり、この瞬間以降、コンデンサ及び照明装置の組み合わせが給電される。照明装置の給電が終了すると、コンデンサ及び照明装置は給電されなくなる。その結果、コンデンサが、その内部又は外部抵抗器だけでなく、依然として電流伝導状態にある照明装置も介して放電される。コンデンサが所定の程度まで放電されるとすぐに、照明装置は、電流阻止状態になり、コンデンサは、照明装置を介して放電されなくなる。この瞬間以降、コンデンサは、その内部又は外部抵抗器を介して更に放電される。デバイスは、この瞬間を、照明装置が電流阻止状態に入ったことを決定することによって、決定する。次に、デバイスは、コンデンサがその内部又は外部抵抗器のみを介して放電される間、蓄電回路の放電曲線の点を決定する。次に、デバイスは、放電曲線から、例えば当該放電曲線（の一部）を先に決定された放電曲線（の一部）と比較することによって、蓄電回路の状態を導出する。
【００１０】
結果として、蓄電回路が電源遮断セクションの出力部とインバータ主回路の入力部との間に置かれる必要なく、例えば平滑コンデンサの寿命末期といった蓄電回路の状態が導出可能である。蓄電回路は、照明装置が蓄電回路の放電曲線の点の決定を妨げることなく、照明装置に結合されたままであることが可能である。これは、放電する照明装置の点は、照明装置が電流阻止状態になった後に決定されることによる。つまり、蓄電回路の状態は、蓄電回路を照明装置から分離する必要なく、導出可能である。これは、非常に良い技術的効果である。
【００１１】
蓄電回路の状態は、すべての決定された点を使用して、決定された点の幾つかの点のみを使用して、幾つか又はすべての決定された点と放電曲線の他の点との組み合わせを使用して、又は、他の点のみを使用して、放電曲線から導出可能である。放電曲線のこれらの他の点は、例えば幾つかの又はより多くの決定された点を利用して推定又は計算される。デバイスは更に、照明装置を駆動するドライバを含んでよい。蓄電回路、第１及び第２の決定回路、並びに／又は導出回路は、当該ドライバの一部を形成してもしなくてもよい。
【００１２】
２つの異なる放電曲線を決定することによって、また、例えば適合アルゴリズムを使用することによって、所与の値の要素について、コンデンサの値と、その内部又は外部抵抗器の値とが計算可能である。コンデンサ及びその内部又は外部抵抗器の値を、先に決定された値と比較することによって、蓄電回路の状態が導出可能である。スイッチ回路は、場合によっては存在するドライバの一部を形成してもしなくてもよい。スイッチ回路は、上記切り替えのためのスイッチを含んでよく、また、上記要素を含んでもよい。
【００１３】
上記第１の点及び第２の点が、それぞれ、照明装置の少なくとも１つの電流伝導状態によって隔てられる照明装置の対応する電流阻止状態において決定される上記デバイスの一実施形態が規定される。第１の可能性では、給電が終了した後、要素から切断されているコンデンサについて、第１の放電曲線の第１の点が決定される。給電が再開し終了するまでデバイスが待機してから、要素に接続されるコンデンサについて、第２の放電曲線の第２の点が決定される。又は、この逆も同様である。したがって、この場合、最初は、蓄電回路の状態を決定するのに、給電の開始と終了の２サイクル分かかる。
【００１４】
上記第１の点及び第２の点が、それぞれ、照明装置の同一の電流阻止状態において決定される上記デバイスの一実施形態が規定される。第２の可能性では、給電が終了した後、最初に、要素に接続されているコンデンサについて、第１の放電曲線の第１の点が決定される。次に、コンデンサが完全に放電される前に、コンデンサは、要素から切断され、次に、第２の放電曲線の第２の点が決定される。又は、この逆も同様である。したがって、この場合、蓄電回路の状態を決定するのに、常に、給電の開始と終了の１サイクルしかかからない。
【００１５】
上記要素が、抵抗器、コンデンサ又はインダクタを含む上記デバイスの一実施形態が規定される。好適には、上記要素は、抵抗器、コンデンサ又はインダクタといった受動要素を含む。
【００１６】
蓄電回路の状態が、コンデンサの状態を含み、導出回路が、第１及び第２の放電曲線に応じて、コンデンサの容量値を計算する上記デバイスの一実施形態が規定される。Ｒ＊Ｃの積しか検出されない従来技術と比べ、本実施形態は、コンデンサの絶対容量値を計算可能であり、したがって、より正確である。コンデンサは、比較的早く劣化する。発光ダイオード回路の形の照明装置の期待耐用年数は、１０００００時間である一方で、コンデンサの期待耐用年数は、１００００時間である。
【００１７】
蓄電回路の状態が、抵抗器の状態、又は、コンデンサ及び抵抗器の状態を含み、導出回路が、第１及び第２の放電曲線に応じて、抵抗器の抵抗値を計算するか、又は、第１及び第２の放電曲線に応じて、コンデンサの容量値及び抵抗器の抵抗値を計算する上記デバイスの一実施形態が規定される。この抵抗器は、コンデンサの内部抵抗器であっても、上記されたように、ドライバ回路の内部抵抗器といった、コンデンサに結合される外部抵抗器であってもよい。Ｒ＊Ｃの積しか検出されない従来技術と比べ、本実施形態は、抵抗器の絶対値を計算可能であり、したがって、内部抵抗器に影響を及ぼすドライバ回路内の欠陥も検出可能である。
【００１８】
蓄電回路が良い状態にあるか又は悪い状態にあるかを、上記状態が分類する上記デバイスの一実施形態が規定される。良い状態にある場合、蓄電回路及び／又は蓄電回路を含み、場合によっては存在するドライバは、これ以降も使用可能であり、悪い状態にある場合、蓄電回路及び／又は蓄電回路を含み、場合によっては存在するドライバは、交換される必要がある場合がある。
【００１９】
上記デバイスが更に、蓄電回路の状態に依存して、人に当該状態を示す指示信号を生成する指示回路を含む上記デバイスの一実施形態が規定される。
【００２０】
好適には、上記デバイスは更に、蓄電回路の状態に依存して、人に当該状態を示す指示信号を生成する指示回路を含む。この指示は、照明を短時間、中断することによって又は照明を変調することによって、照明装置を介して行われても、別の生成器又はマン・マシン・インターフェースを介して行われてもよい。上記指示回路は、場合によっては存在するドライバの一部を形成してもしなくてもよい。
【００２１】
照明装置が、電流伝導状態では、閾値以上の振幅値を有する入力信号を受信し、当該振幅値は、照明装置の電流阻止状態では、閾値よりも小さい上記デバイスの一実施形態が規定される。これは、照明装置の状態が、照明装置に提示される入力信号を検出することによって決定される単純な実施形態である。入力信号の振幅値は、瞬時振幅値であってよい。照明装置によって受信される入力信号は、デバイスによって送信される出力信号である。
【００２２】
入力信号が、電圧信号を含み、閾値が、閾値電圧値を含む上記デバイスの一実施形態が規定される。好適には、入力信号は、電圧信号を含む。しかし、或いは、入力信号は、電流信号を含んでもよい。
【００２３】
第１の決定回路が、電圧信号の電圧振幅値を閾値電圧値と比較する上記デバイスの一実施形態が規定される。好適には、第１の決定回路は、照明装置に提示される電圧信号の電圧振幅値を閾値電圧値と比較する。しかし、或いは、第１の決定回路は、照明装置に提示される電流信号の電流振幅値を閾値電流と比較してもよい。これらの振幅値は、瞬時振幅値であってよい。
【００２４】
第２の決定回路が、時間に応じた電圧振幅値の形の蓄電回路の放電曲線の点を決定する上記デバイスの一実施形態が規定される。好適には、蓄電回路の放電曲線の点は、時間に応じた瞬時電圧振幅値である。しかし、或いは、蓄電回路の放電曲線の点は、時間に応じた瞬時電流振幅値であってもよい。しかし、このような瞬時電流振幅値は、コンデンサと抵抗器との間で決定される必要があり、これは、比較的困難である場合がある。
【００２５】
第２の態様によれば、発光する照明装置１と、上記デバイスのうちの１つとを含む発光する装置が提供される。照明装置１は、電流伝導状態又は電流阻止状態にあるように構成される。
【００２６】
照明装置が、発光ダイオード回路を含む上記装置の一実施形態が規定される。発光ダイオード回路は、どのような種類であってもよい１つ以上の発光ダイオードを、どのような組み合わせで含んでもよい。電流伝導状態及び電流阻止状態を有する他の照明装置も排除されない。１つ以上のダイオード及び／又は１つ以上のツェナーダイオードを、任意の照明装置に直列に追加することによって、上記１つ以上のダイオード及び／又は１つ以上のツェナーダイオードを含む当該任意の照明装置には、電流伝導状態及び電流阻止状態が与えられる。
【００２７】
第３の態様によれば、発光する照明装置に給電するデバイスを操作する方法が提供される。上記照明装置は、電流伝導状態又は電流阻止状態にあるように構成される。上記デバイスは、照明装置に結合される蓄電回路を含む。上記蓄電回路は、コンデンサを含む。上記方法は、
照明装置が、電流伝導状態にあるか又は電流阻止状態にあるかを決定するステップと、
照明装置の電流阻止状態において、蓄電回路の放電曲線の点を決定するステップと、
放電曲線から、蓄電回路の状態を導出するステップとを含む。
【００２８】
基本的な考え方は、照明装置の状態が決定され、照明装置の電流阻止状態においてのみ、蓄電回路の放電曲線の点が決定され、当該放電曲線から、蓄電回路の状態が導出される、ということである。
【００２９】
改良型デバイスを提供するという課題は達成された。更なる利点は、蓄電回路の状態が、当該蓄電回路を照明装置から分離する必要なく決定可能であることに加えて、当該デバイスが単純で、ロバストで、低価格であるという点である。
【００３０】
本発明のこれらの及び他の態様は、以下に説明される実施形態から明らかとなり、また、当該実施形態を参照して説明される。
【図面の簡単な説明】
【００３１】
【図１】図１は、デバイスの第１の実施形態を示す。
【図２】図２は、デバイスの第２の実施形態を示す。
【図３】図３は、コントローラの一実施形態を示す。
【図４】図４は、２つの放電曲線Ａ及びＢを示す。
【図５】図５は、２つの放電曲線Ｃ及びＤを示す。
【発明を実施するための形態】
【００３２】
図１に、デバイスの第１の実施形態が示される。例えばランプドライバといったデバイス２−５は、例えば発光する発光ダイオード回路といった照明装置１に給電する。照明装置１は、電流伝導状態又は電流阻止状態にあるように構成される。電流伝導状態では、照明装置１は、電流信号を伝導し、発光可能である。電流阻止状態では、照明装置１は、電流信号を阻止し、発光しない。
【００３３】
デバイス２−５は、照明装置１に電気的に結合される蓄電回路２を含む。この蓄電回路２は、コンデンサ２１を含み、更に、コンデンサ２１と並列に置かれる抵抗器２２を含む。抵抗器２２は、ここでは、外部抵抗器として示されるが、或いは、コンデンサ２１の内部抵抗器であってもよい。
【００３４】
デバイス２−５は、照明装置１が電流伝導状態にあるか又は電流阻止状態にあるかを決定する第１の決定回路３と、照明装置１が電流阻止状態にあるときに、蓄電回路２の放電曲線の点を決定する第２の決定回路４と、放電曲線から蓄電回路２の状態を導出する導出回路５とを含む。この状態とは、例えば良い状態又は悪い状態であり、コンデンサ２１の状態、抵抗器２２の状態又はコンデンサ２１及び抵抗器２２の状態を含む。
【００３５】
デバイス２−５の動作は次の通りである。照明装置１の給電が開始すると、デバイス２−５の一部を形成してもしなくてもよいコンバータ８を介して、コンデンサ２１と抵抗器２２との並列組み合わせに給電される。コンデンサ２１は充電され、照明装置１には給電されない。即ち、電流阻止状態にある。コンデンサ２１が第１の（十分な）程度まで充電されるとすぐに、照明装置１は、電流伝導状態になり、この瞬間以降、コンデンサ２１、抵抗器２２及び照明装置１の組み合わせが給電される。照明装置１の給電が終了すると、もはや、コンデンサ２１、抵抗器２２及び照明装置１は給電されなくなる。その結果、コンデンサ２１が、抵抗器２２だけでなく、依然として電流伝導状態にある照明装置１も介して放電される。コンデンサ２１が第２の（不十分な）程度まで放電されるとすぐに、照明装置１は、電流阻止状態になり、コンデンサ２１は、もはや照明装置１を介して放電されなくなる。この瞬間以降、コンデンサ２１は、抵抗器２２を介してのみ更に放電される。デバイス２−５は、この瞬間を、照明装置１が電流阻止状態に入ったことを決定することによって、決定する。この瞬間以降、デバイス２−５は、コンデンサ２１が抵抗器２２を介して放電される間、蓄電回路２の放電曲線の点を決定する。次に、デバイス２−５は、放電曲線から、例えば当該放電曲線（の一部）を先に決定された放電曲線（の一部）と比較することによって、蓄電回路２の状態を導出する。
【００３６】
結果として、蓄電回路２を照明装置１から分離する必要なく、例えばコンデンサ２１の寿命末期といった蓄電回路２の状態が導出可能である。これは、非常に良い技術的効果である。蓄電回路２は、コンバータ８の一部を形成してもしなくてもよい。第１の決定回路３は、照明装置１が電流伝導状態にあるか又は電流阻止状態にあるかを決定可能とするために、例えば照明装置１に亘って存在する電圧信号の電圧振幅値を測定するか、又は、例えば照明装置１を流れる電流信号の電流振幅値を検出する。第２の決定回路４は、照明装置１の電流阻止状態において、蓄電回路２の放電曲線の点を決定可能とするために、例えばコンデンサ２１に亘って存在する電圧信号の電圧振幅値を検出するか、又は、例えばコンデンサ２１を流れる電流信号の電流振幅値を検出する。導出回路５は、放電曲線から蓄電回路２の状態を導出可能とするために、例えば新しいデータを古いデータと比較するか、又は、例えば１つ以上の計算を行う。
【００３７】
好適には、デバイス２−６は更に、コンデンサ２１と並列である要素６１を切り替えるためのスイッチ回路６を含む。このようなスイッチ回路６は、例えば要素６１とスイッチ６２との直列組み合わせを含む。要素６１は、能動要素又は受動要素であってよく、好適には、抵抗器、コンデンサ又はインダクタを含む。スイッチ６２は、任意の種類のスイッチであってよい。スイッチ回路６を導入したことによって、２つの異なる放電曲線が決定可能である。この場合、蓄電回路２の放電曲線の点は、要素６１から切断されているコンデンサ２１について決定される蓄電回路２の第１の放電曲線の第１の点を含み、また、蓄電回路２の放電曲線の点は、要素６１に接続されているコンデンサ２１について決定される蓄電回路２の第２の放電曲線の第２の点を含み、又は、この逆も同様である。
【００３８】
２つの異なる放電曲線を決定することによって、また、例えば適合アルゴリズムを使用することによって、所与の値の要素６１について、コンデンサ２１の値と抵抗器２２の値とが計算可能である。コンデンサ２１及び抵抗器２２の値を先に決定された値と比較することによって、蓄電回路２の状態が比較的正確に導出可能である。
【００３９】
各第１の点及び第２の点は、照明装置１の少なくとも１つの電流伝導状態によって隔てられる照明装置１の対応する電流阻止状態において決定される。給電が終了した後、例えば要素６１から切断されているコンデンサ２１について、第１の放電曲線の第１の点が決定される。給電が再開し終了するまでデバイス２−６が待機してから、今度は、例えば要素６１に接続されるコンデンサ２１について、第２の放電曲線の第２の点が決定される。又は、この逆も同様である。したがって、この場合、最初は、蓄電回路２の状態を決定するのに、給電の開始と終了との２サイクル分かかる。この解決策は、比較的頻繁に始動され、動作停止にされるデバイス２−６に有利に使用される。
【００４０】
或いは、各第１の点及び第２の点は、照明装置１の全く同一の電流阻止状態において決定されてもよい。給電が終了した後、最初に、例えば要素６１に接続されているコンデンサ２１について、第１の放電曲線の第１の点が決定される。次に、コンデンサ２１が完全に放電される前に、コンデンサ２１は、例えば要素６１から切断される。次に、第２の放電曲線の第２の点が、今度は、要素６１から切断されているコンデンサ２１について決定される。又は、この逆も同様である。したがって、この場合、蓄電回路２の状態を決定するのに、常に、給電の開始と終了との１サイクル分しかかからない。この解決策は、比較的まばらに始動され、動作停止されるデバイス２−６に有利に使用される。
【００４１】
好適には、デバイス２−７は更に、蓄電回路２の状態に依存して、人に状態を示すための指示信号を生成する指示回路７を含む。ここでは、指示信号は、光学的に、音響的に、及び／又は、無線若しくは有線接続等を介して、人に供給されるアラームを生成するために使用される。
【００４２】
図２に、デバイスの第２の実施形態が示される。第２の実施形態は、第１の決定回路３、第２の決定回路４及び導出回路５が、例えばマイクロコントローラ又はプロセッサ等といったコントローラ１０の形で示され、コンバータ８と蓄電回路２とを含むドライバ回路９が存在し、指示回路７の出力部がコンバータ８の入力部に結合される点で、図１に示される第１の実施形態とは異なる。
【００４３】
コントローラ１０の入力部は、照明装置１の入力部に結合される。コントローラ１０の出力部は、スイッチ６２を操作するためにスイッチ回路６の制御入力部に、また、指示回路７を制御するために当該指示回路７の制御入力部に結合される。照明装置１は、電流伝導状態では、閾値以上の振幅値を有する入力信号を受信し、照明装置１の電流阻止状態では、この振幅値は、閾値よりも小さい。図２では、この入力信号は、電圧信号を含み、閾値は、閾値電圧値を含む。コントローラ１０内の第１の決定回路３は、例えば比較器であり、電圧信号の電圧振幅値を閾値電圧値と比較する。コントローラ１０内の第２の決定回路４は、例えばバッファであり、時間に応じた電圧振幅値の形の蓄電回路２の放電曲線の点を決定／格納する。
【００４４】
図２では、照明装置１を介して、人に供給されるアラームを生成するために、コンバータ８を制御するように、又は、コンバータ８の入力部に結合される給電ケーブルを介して人にアラームを送信するために、コンバータ８をインターフェースとして使用するように、表示信号が使用される。
【００４５】
コントローラ１０と照明装置１の入力部との間に、必要に応じて、図示しない電圧センサがあるか、又は、必要に応じて、図示しないアナログ−デジタルコンバータがある。又は、これらの１つ以上が、コントローラ１０の一部を形成してもよい。図２では、蓄電回路２、コントローラ１０、スイッチ回路６及び指示回路７のうちの１つ以上と、これらの構成要素の各構成要素の部分とが、ドライバ９の一部を形成してもしなくてもよい。或いは、図２に示される指示回路７が、図１に示される実施形態に使用されてもよく、また、その逆も同様である。或いは、図２では、第１の決定回路３及び／又は第２の決定回路４が、コントローラ１０から取り除かれ、別々に示されてもよい。図１では、コントローラは、第１の決定回路３、第２の決定回路４及び導出回路５の１つ以上に取って代わってもよい。
【００４６】
図３に、コントローラ１０の一実施形態が示される。コントローラ１０は、照明装置１の入力部に結合される入力部を有するアナログ−デジタルコンバータ１１、即ち、Ａ−Ｄコンバータ１１と、照明装置１の入力部に提示される電圧信号のデジタル値を比較器１２の第２の入力に提示される閾値電圧値と比較するためにＡ−Ｄコンバータ１１の出力部に結合される第１の入力部を有する上記比較器１２と、時間に応じた電圧信号のデジタル値を格納するためにＡ−Ｄコンバータ１１の出力部に結合される入力部を有するバッファ１３と、比較器１２の出力部に結合される入力部を有し、蓄電回路２の状態を確立するために、バッファ１３の入力部／出力部に結合される入力部／出力部を有するプロセッサ１４とを含む。比較器１２は、場合によっては、Ａ−Ｄコンバータ１１と組み合わされて、第１の決定回路を形成し、バッファ１３は、場合によっては、Ａ−Ｄコンバータ１１と組み合わされて、第２の決定回路を形成し、プロセッサ１４は、導出回路等を形成する。
【００４７】
次式
【数１】
0006297759.tif 000002
は、ＲＣ放電曲線を表し、ここで、Ｒ及びＣは、それぞれ、静電容量及び抵抗である。
【００４８】
図４に、２つの放電曲線Ａ及びＢ（垂直軸：ボルト、水平軸：時間）が示される。放電曲線Ａは、コンデンサ２１と並列に接続されている抵抗器の形の要素６１について記録され、放電曲線Ｂは、コンデンサ２１から切断されている抵抗器の形の要素６１について記録されている。これらの記録は、照明装置１の異なる電流阻止状態の間に行われた。
【００４９】
図５に、２つの放電曲線Ｃ及びＤ（垂直軸：ボルト、水平軸：時間）が示される。放電曲線Ｃは、コンデンサ２１と並列に接続されている抵抗器の形の要素６１について記録され、放電曲線Ｄは、コンデンサ２１から切断されている抵抗器の形の要素６１について記録されている。これらの記録は、照明装置１の同一の電流阻止状態の間に行われた。明らかに、放電曲線Ｃ及びＤの組み合わせは、通常の曲線Ｅから逸脱する。丸印によって大まかに示される時間において、要素６１は、コンデンサ２１から切断される。要素６１を切り替えるのによい時間は、他の時間を排除することなく、２つの放電曲線Ｃ及びＤの全電圧間隔のほぼ中間である。当該時間を選択する別の態様は、第１の記録の開始から所定量の時間が経過した後、切り替えること等である。
【００５０】
要素６１の所与の値について、２つの異なる放電曲線を決定することによって、また、例えば適合アルゴリズムを使用することによって、コンデンサ２１の値及び抵抗器２２の値が計算可能である。計算された値を先に決定された値と比較することによって、蓄電回路２の状態が導出可能である。
【００５１】
要素６１が抵抗器Ｒ６１を含む場合、また、コンデンサ２１の値がＣ２１によって示され、抵抗器２２の値がＲ２２によって示される場合、また、第１の放電曲線について、要素６１がコンデンサ２１及び抵抗器２２から切断されている場合、Ｐ＝Ｒ２２Ｃ２１と規定され、第２の放電曲線について、要素６１がコンデンサ２１及び抵抗器２２に接続されている場合、Ｑ＝Ｒ６１Ｒ２２Ｃ２１／（Ｒ６１＋Ｒ２２）と規定され、次に、Ｒ２２＝（Ｐ−Ｑ）Ｒ６１／Ｑと導出可能であり、また、Ｃ２１＝ＰＱ／（（Ｐ−Ｑ）Ｒ６１）と導出可能であり、これにより、Ｐ及びＱは、２つの放電曲線から導出可能である。要素６１がコンデンサ又はインダクタを含む場合でも、同様の導出をすることができる。
【００５２】
第１及び第２のユニットが、第３のユニットを介して間接的に結合可能であり、また、第３の要素が間にない状態で、直接的に結合可能である。図示及び／又は説明された任意の実施形態（の任意の一部）は、図示及び／又は説明された任意の他の実施形態（の任意の部分）と組み合わせ可能である。
【００５３】
要約するに、発光する照明装置に給電するデバイスは、照明装置１に結合されるコンデンサ２１を有する蓄電回路２を含む。照明装置１は、電流伝導状態と電流阻止状態とを有する。当該デバイスは更に、状態を決定する第１の決定回路３と、電流阻止状態において、蓄電回路２の放電曲線の点を決定する第２の決定回路４と、蓄電回路２を照明装置１から分離する必要なく、放電曲線から蓄電回路２の寿命末期といった状態を導出する導出回路５とを含む。当該デバイスは更に、コンデンサ２１と並列の要素６１を切り替えるスイッチ回路６を含み、これにより、２つの放電曲線、即ち、要素６１から切断されているコンデンサ２１についての放電曲線と、要素６１と接続されているコンデンサ２１についての放電曲線とが決定可能である。要素６１は、抵抗器、コンデンサ又はインダクタを含む。
【００５４】
発光する装置は、発光する照明装置１と、上記デバイスのうちの１つとを含む。照明装置１は、電流伝導状態又は電流阻止状態にあるように構成される。上記発光する装置の一例は、ＬＥＤランプである。
【００５５】
本発明は、図面及び上記説明において詳細に例示及び説明されたが、このような例示及び説明は、例示であって、限定と解釈されるべきではない。本発明は、開示された実施形態に限定されない。開示された実施形態の他の変形態様は、図面、開示内容及び添付の請求項の検討から、請求項に係る発明を実施する当業者によって理解され、実施される。保護が求められる主題は、請求項によって規定され、請求項において、「含む」との用語は、他の要素又はステップを排除するものではなく、また、「ａ」又は「ａｎ」との不定冠詞も、複数形を排除するものではない。特定の手段が相互に異なる従属請求項に記載されることだけで、これらの手段の組み合わせを有利に使用することができないことを示すものではない。請求項における任意の参照符号は、範囲を限定するものと解釈されるべきではない。
【図１】
0006297759.tif 000003
【図２】
0006297759.tif 000004
【図３】
0006297759.tif 000005
【図４】
0006297759.tif 000006
【図５】
0006297759.tif 000007